(57)【要約】【課題】  入力文字と操作との対応関係が分かり易く操作性が容易な文字入力装置を提供する。【解決手段】  本発明に係る文字入力装置１は、第１の方向に押下することによって第１のキー入力情報を入力するように構成されている第１のキー２と、前記第１の方向の反対方向に押下することによって第２のキー入力情報を入力するように構成されている第２のキー３と、所定期間内に、前記第１のキー入力情報及び前記第２のキー入力情報を検出した場合、該第１のキー入力情報と該第２のキー入力情報との組み合わせに基づいて入力文字を決定する文字決定部１３とを具備する。【選択図】  図１
2006279103.tif 000002
【特許請求の範囲】
【請求項１】
第１の方向に押下することによって第１のキー入力情報を入力するように構成されている第１のキーと、
前記第１の方向の反対方向に押下することによって第２のキー入力情報を入力するように構成されている第２のキーと、
所定期間内に、前記第１のキー入力情報及び前記第２のキー入力情報を検出した場合、該第１のキー入力情報と該第２のキー入力情報との組み合わせに基づいて入力文字を決定する文字決定部とを具備することを特徴とする文字入力装置。
【請求項２】
前記文字決定部は、前記第１のキー入力情報に基づいて前記入力文字の子音を決定するように構成されており、前記第２のキー入力情報に基づいて前記入力文字の母音を決定するように構成されていることを特徴とする請求項１に記載の文字入力装置。
【請求項３】
前記文字決定部は、前記所定期間内に、前記第１のキー入力情報のみを検出した場合、該第１のキー入力情報に基づいて、「あ」段の文字を前記入力文字とすることを決定するように構成されていることを特徴とする請求項１又は２に記載の文字入力装置。
【請求項４】
前記第１のキーは、前記第１の方向の反対方向に押下することによって、「い」段の文字を示す第３のキー入力情報を入力するように構成されており、
前記文字決定部は、前記所定期間内に、前記第３のキー入力情報のみを検出した場合、該第３のキー入力情報に基づいて、「い」段の文字を前記入力文字とすることを決定するように構成されていることを特徴とする請求項１乃至３のいずれか一項に記載の文字入力装置。
【請求項５】
前記第２のキー入力情報は、「う」、「え」、「お」のいずれかに対応する母音を示すように構成されていることを特徴とする請求項３又は４に記載の文字入力装置。
【発明の詳細な説明】
【技術分野】
【０００１】
本発明は、携帯電話等の小型機器に対して文字を入力する文字入力装置に関する。
【背景技術】
【０００２】
一般的に、携帯電話等の小型機器に対してかな文字を入力する方法として、「あ」行、「か」行等の行ごとにキーを割り当て、同じキーを押下するごとに、「あ」段文字から「お」段文字まで入力文字を変化させていく方法が知られている。
【０００３】
かかる方法には、文字配列を覚えやすいという利点があるが、「お」段文字を入力する場合、同じキーを５回押下する必要があるため、操作性が良くないという問題点があった。
【０００４】
かかる問題点を解決するために、特許文献１や特許文献２に示すように、子音、母音を連続して入力する方法が知られている。また、非特許文献３に示すように、左手及び右手の同時キー押下によって文字を入力する方法が知られている。
【特許文献１】特開２００３−３３０５９８号公報
【特許文献２】特開２００４−３８９９９号公報
【特許文献３】特開２００３−２６３２６４号公報
【発明の開示】
【発明が解決しようとする課題】
【０００５】
しかしながら、非特許文献１や非特許文献２に示す方法では、子音を入力するためには最低でも２回の操作が必要であり、操作性があまり良くないという問題点があった。また、非特許文献３に示す方法では、入力文字と操作との対応関係が分かり難いという問題点があった。
【０００６】
そこで、本発明は、以上の点に鑑みてなされたもので、入力文字と操作との対応関係が分かり易く操作性が容易な文字入力装置を提供することを目的とする。
【課題を解決するための手段】
【０００７】
本発明の第１の特徴は、第１の方向に押下することによって第１のキー入力情報を入力するように構成されている第１のキーと、前記第１の方向の反対方向に押下することによって第２のキー入力情報を入力するように構成されている第２のキーと、所定期間内に、前記第１のキー入力情報及び前記第２のキー入力情報を検出した場合、該第１のキー入力情報と該第２のキー入力情報との組み合わせに基づいて入力文字を決定する文字決定部とを具備することを要旨とする。
【０００８】
かかる発明によれば、第１のキーを下方向（第１の方向）に押下するとともに、第２のキーを上方向（第１の方向の反対方向）に押下することによって、文字を入力することができるため、人差し指と親指等によって複数のキーを同時に押下することができ、１つの文字を片手の１回の操作で入力することができる。
【０００９】
本発明の第１の特徴において、前記文字決定部が、前記第１のキー入力情報に基づいて前記入力文字の子音を決定するように構成されており、前記第２のキー入力情報に基づいて前記入力文字の母音を決定するように構成されていてもよい。
【００１０】
本発明の第１の特徴において、前記文字決定部が、前記所定期間内に、前記第１のキー入力情報のみを検出した場合、該第１のキー入力情報に基づいて、「あ」段の文字を前記入力文字とすることを決定するように構成されていてもよい。
【００１１】
本発明の第１の特徴において、前記第１のキーが、前記第１の方向の反対方向に押下することによって、「い」段の文字を示す第３のキー入力情報を入力するように構成されており、前記文字決定部が、前記所定期間内に、前記第３のキー入力情報のみを検出した場合、該第３のキー入力情報に基づいて、「い」段の文字の中を前記入力文字とすることを決定するように構成されていてもよい。
【００１２】
本発明の第１の特徴において、前記第２のキー入力情報が、「う」、「え」、「お」のいずれかに対応する母音を示すように構成されていてもよい。
【発明の効果】
【００１３】
以上説明したように、本発明によれば、入力文字と操作との対応関係が分かり易く操作性が容易な文字入力装置を提供することができる。
【発明を実施するための最良の形態】
【００１４】
（本発明の一実施形態に係る文字入力装置の構成）
図１乃至図４を参照して、本発明の第１の実施形態に係る文字入力装置１の構成について説明する。本実施形態に係る文字入力装置１は、接続されている携帯電話等の接続機器に対して、かな文字入力モードの状態でかな文字を入力し、数字・記号入力モードの状態で数字及び記号を入力し、英文字入力モードの状態で英文字を入力するように構成されている。
【００１５】
なお、本実施形態に係る文字入力装置１の数字・記号入力モードの状態及び英文字入力モードの状態における動作は、従来の文字入力装置の動作と同様であるため、以下、特に断りがない場合、本実施形態に係る文字入力装置１のかな文字入力モードの状態における動作について説明するものとする。
【００１６】
図１に示すように、本実施形態に係る文字入力装置１には、９個の子音キー２と、３個の母音キー３と、濁音・半濁音・拗音・促音キー４と、入力モード切替キー５とが設けられている。
【００１７】
子音キー２及び母音キー３は、図２（ａ）乃至（ｃ）に示すように、そろばん珠のような山形の形状になっており、上下方向から押下できる構造を有している。以下の説明では、上方向からキー２、３を押下する操作（すなわち、下方向にキー２、３を押下する操作）を「上押し操作」と呼び、下方向からキー２、３を押下する操作（すなわち、上方向にキー２、３を押下する操作）を「下押し操作」と呼ぶ。
【００１８】
例えば、操作者は、そろばんを弾く要領で、人差し指でキー２、３を押し下げることによって「上押し処理」を行い、親指でキー２、３を押し上げることによって「下押し処理」を行うことができる。
【００１９】
なお、キー２、３は、図２（ｂ）に示すように、「上押し操作」によって下側スイッチ７を「ＯＮ」としてキー入力情報を入力し、図２（ｃ）に示すように、「下押し操作」によって上側スイッチ６を「ＯＮ」としてキー入力情報を入力するように構成されている。
【００２０】
本実施形態では、子音キー（第１のキー）２は、下方向（第１の方向）に押下することによって、入力文字（接続機器に入力する文字）の子音に対応する第１のキー入力情報を入力するように構成されている。
【００２１】
また、子音キー（第１のキー）２は、上方向（第１の方向の反対方向）に押下することによって、「い」段の文字（例えば、「き」や「し」等）を示す第３のキー入力情報を入力するように構成されている。
【００２２】
また、母音キー（第２のキー）３は、上方向（第１の方向の反対方向）に押下することによって、入力文字の母音（本実施形態では、「う」、「え」、「お」）に対応する第２のキー入力情報を入力するように構成されている。
【００２３】
なお、本実施形態では、上側に「や」が割り当てられている子音キー２の下側に「、」を割り当て、上側に「わ」が割り当てられている子音キー２の下側に「。」を割り当てるように構成されている。
【００２４】
また、下側に「お」が割り当てられている母音キー３の上側に「記号」を割り当て、かかる母音キー３の押下時には、接続機器の画面上に記号の一覧を表示させて、操作者に入力すべき記号を選択させるように構成されている。
【００２５】
濁音・半濁音・拗音・促音キー４は、入力文字が濁音であることを示す濁音キー入力情報や、入力文字が半濁音であることを示す半濁音キー入力情報や、入力文字が拗音であることを示す拗音キー入力情報、入力文字が促音であることを示す促音キー入力情報を入力するように構成されている。
【００２６】
なお、操作者が左手で文字入力装置１を保持する場合を想定して、左手の親指で濁音・半濁音・拗音・促音キー４を押下することができるように、濁音・半濁音・拗音・促音キー４は、文字入力装置１の左側面に設けるように構成されていてもよい。
【００２７】
入力モード切替キー５は、文字入力装置の入力モードを、かな文字入力モードと数字・記号入力モードと英文字入力モードとの間で切り替えるように構成されている。
【００２８】
具体的には、操作者が、入力モード切替キー５を押下するたびに、文字入力装置の入力モードは、かな文字入力モード、数字・記号入力モード、英文字入力モードの順に切り替わるように構成されていてもよい。
【００２９】
例えば、数字・記号入力モードでは、子音キー２及び母音キー３の上側に対して（すなわち、「上押し操作」に対して）、一般的なボタン電話と同様に「１」〜「１０」、「＊」、「＃」といった１２個の数字及び記号を割り当て、子音キー２及び母音キー３の下側に対して（すなわち、「下押し操作」に対して）、又は、「上押し操作」及び「下押し操作」の組み合わせに対して、「：」、「−」、「＋」等の数字とともによく使われる記号を割り当てるように構成されていてもよい。
【００３０】
また、英文字入力モードでは、子音キー２及び母音キー３の上側及び下側に対して（すなわち、「上押し操作」及び「下押し操作」に対して）、「ａ」から順にアルファベット２４文字を割り当て、「上押し操作」及び「下押し操作」の組み合わせに対して、「ｙ」、「ｚ」、「＠」、「．」、「＿」等の記号を割り当てるように構成されていてもよい。
【００３１】
図３に示すように、本実施形態に係る文字入力装置１の内部機能として、キー入力検知部１１と、同時押し判定タイマ１２と、文字決定部１３と、入力部１４と、エラー処理部１５とが設けられている。
【００３２】
キー入力検知部１１は、子音キー２の「上押し操作」によって入力された第１のキー入力情報や、子音キー２の「下押し操作」によって入力された第３のキー入力情報や、母音キー３の「下押し操作」によって入力された第２のキー入力情報や、母音キー３の「上押し操作」によって入力されたキー入力情報や、濁音・半濁音・拗音・促音キー４の押下によって入力された濁音キー入力情報・半濁音キー入力情報・拗音キー入力情報・促音入力情報等の有無を検知するように構成されている。
【００３３】
同時押し判定タイマ１２は、文字決定部１３によって入力文字を決定する際に必要となる所定期間を計測するように構成されている。同時押し判定タイマ１２は、キー入力検知部１１によって所定のキー入力情報が検知された場合に作動するように構成されている。
【００３４】
文字決定部１３は、キー入力検知部１１によって検知されたキー入力情報及び同時押し判定タイマ１２の状態に基づいて、接続機器に入力すべき文字を決定するように構成されている。
【００３５】
例えば、図４（ａ）に示すように、文字決定部１３は、所定期間内に、「か」が割り当てられている子音キー２によって入力された第１のキー入力情報のみを検出した場合、該第１の入力情報に基づいて、「か」を入力文字とすることを決定するように構成されている。
【００３６】
図４（ｂ）に示すように、文字決定部１３は、所定期間内に、「き」が割り当てられている子音キー２によって入力された第３のキー入力情報のみを検出した場合、該第１の入力情報に基づいて、「き」を入力文字とすることを決定するように構成されている。
【００３７】
図４（ｃ）に示すように、文字決定部１３は、所定期間内に、「か」が割り当てられている子音キー２によって入力された第１のキー入力情報及び「う」が割り当てられている母音キー３によって入力された第２のキー入力情報を検出した場合、当該第１のキー入力情報と当該第２のキー入力情報との組み合わせに基づいて、「く」を入力文字とすることを決定するように構成されている。
【００３８】
図４（ｄ）に示すように、文字決定部１３は、所定期間内に、「か」が割り当てられている子音キー２によって入力された第１のキー入力情報及び「え」が割り当てられている母音キー３によって入力された第２のキー入力情報を検出した場合、当該第１のキー入力情報と当該第２のキー入力情報との組み合わせに基づいて、「け」を入力文字とすることを決定するように構成されている。
【００３９】
図４（ｅ）に示すように、文字決定部１３は、所定期間内に、「か」が割り当てられている子音キー２によって入力された第１のキー入力情報及び「お」が割り当てられている母音キー３によって入力された第２のキー入力情報を検出した場合、当該第１のキー入力情報と当該第２のキー入力情報との組み合わせに基づいて、「こ」を入力文字とすることを決定するように構成されている。
【００４０】
すなわち、文字決定部１３は、第１のキー入力情報に基づいて入力文字の子音を決定するように構成されており、第２のキー入力情報に基づいて入力文字の母音を決定するように構成されている。
【００４１】
なお、本実施形態では、文字決定部１３は、「わ」を示す第１のキー入力情報がのみを検知した場合には「わ」を入力文字とし、「わ」を示す第１のキー入力情報及び「う」を示す第２のキー入力情報を受信した場合には「を」を入力文字とし、「わ」を示す第１のキー入力情報及び「お」を示す第２のキー入力情報を受信した場合には「ん」を入力文字とするように決定する。
【００４２】
また、文字決定部１３は、  濁音・半濁音・拗音・促音キー４からの濁音キー入力情報や半濁音キー入力情報や拗音キー入力情報や促音キー入力情報が入力されている場合、すなわち、濁音・半濁音・拗音・促音キー４が押下されている場合、決定する入力文字を濁音・半濁音・拗音・促音とするように構成されている。
【００４３】
入力部１４は、文字決定部１３によって決定された入力文字を接続機器に対して入力するように構成されている。
【００４４】
エラー処理部１５は、文字決定部１３による入力文字の決定処理が失敗した場合、例えば、規定されていないキー入力情報の組み合わせが入力された場合、所定のエラー処理を行うように構成されている。例えば、エラー処理部１５は、規定されていないキー入力情報の組み合わせ（例えば、「あ」の濁音等）が入力されたことを、操作者に対して音声又は画像で通知するように構成されている。
【００４５】
（本発明の一実施形態に係る文字入力装置の動作）
図５乃至図９を参照して、本実施形態に係る文字入力装置１が、かな文字入力モードの状態で、接続機器に対して、かな文字を入力する動作について説明する。
【００４６】
図５に示すように、ステップＳ１０１において、文字決定部１３が、キー入力検知部１１によってキー入力情報が検知されたか否かについて判定する。なお、ステップＳ１０１は、キー入力検知部１１によってキー入力情報が検知されるまで繰り返される。
【００４７】
ステップＳ１０２において、文字決定部１３が、検知されたキー入力情報が、子音キー２の上押し操作によって入力された第１のキー入力情報であるか否かについて判定する。判定結果が「ＹＥＳ」である場合、本動作はステップＳ１０３に進み、文字決定部１３が「子音・上押し処理（後述）」を行う。一方、判定結果が「ＮＯ」である場合、本動作はステップＳ１０４に進む。
【００４８】
ステップＳ１０４において、文字決定部１３が、検知されたキー入力情報が、子音キー２の下押し操作によって入力された第３のキー入力情報であるか否かについて判定する。判定結果が「ＹＥＳ」である場合、本動作はステップＳ１０５に進み、文字決定部１３が「子音・下押し処理（後述）」を行う。一方、判定結果が「ＮＯ」である場合、本動作はステップＳ１０６に進む。
【００４９】
ステップＳ１０６において、文字決定部１３が、検知されたキー入力情報が、母音キー３の上押し操作によって入力されたキー入力情報であるか否かについて判定する。判定結果が「ＹＥＳ」である場合、本動作はステップＳ１０７に進み、文字決定部１３が「母音・上押し処理（後述）」を行う。一方、判定結果が「ＮＯ」である場合、本動作はステップＳ１０８に進む。
【００５０】
ステップＳ１０８において、文字決定部１３が、検知されたキー入力情報が、母音キー３の下押し操作によって入力されたキー入力情報であるか否かについて判定する。判定結果が「ＹＥＳ」である場合、本動作はステップＳ１０９に進み、文字決定部１３が「母音・下押し処理（後述）」を行う。一方、判定結果が「ＮＯ」である場合、本動作はステップＳ１０１に戻る。
【００５１】
図６を参照して、上述のステップＳ１０３において文字決定部１３によって行われる「子音・上押し処理」について説明する。
【００５２】
ステップＳ２０１において、同時押し判定タイマ１２が作動する。ステップＳ２０２において、文字決定部１３が、同時押し判定タイマ１２が作動中に（すなわち、所定期間内に）、キー入力検知部１１によってキー入力情報が検知されたか否かについて判定する。
【００５３】
判定結果が「ＹＥＳ」である場合、ステップＳ２０４において、ステップＳ２０２において検知されたキー入力情報が、母音キー３の下押し操作によって入力された第２のキー入力情報であるか否かについて判定する。判定結果が「ＹＥＳ」である場合、ステップＳ２０５において、文字決定部１３が、濁音・半濁音・拗音・促音キー４の押下状態を考慮した上で、上述の第１のキー入力情報と第２のキー入力情報との組み合わせに基づいて、「う」、「え」、「お」段の文字を入力文字とすることを決定する。
【００５４】
一方、所定期間内に、更なるキー入力情報が検知されなかった場合（ステップＳ２０３における「ＹＥＳ」の場合）、ステップＳ２０５において、文字決定部１３が、濁音・半濁音・拗音・促音キー４の押下状態を考慮した上で、上述の第１のキー入力情報に対応する「あ」段の文字（例えば「か」等）を入力文字とすることを決定する。
【００５５】
ステップＳ２０６において、入力部１４が、文字決定部１３によって決定された入力文字を接続機器に対して入力する。ステップＳ２０７において、エラー処理部１５が、操作者によるキー入力操作が誤っている旨を通知するためのエラー処理を行う。
【００５６】
図７を参照して、上述のステップＳ１０５において文字決定部１３によって行われる「子音・下押し処理」について説明する。
【００５７】
ステップＳ３０１において、文字決定部１３が、濁音・半濁音・拗音・促音キー４の押下状態を考慮した上で、上述の第１のキー入力情報に対応する「い」段の文字（例えば、「き」等）を入力文字とすることを決定する。かかる場合、文字決定部１３は、同時押し判定タイマ１２の状態を考慮することなく入力文字を決定することができる。
【００５８】
ステップＳ３０２において、入力部１４が、文字決定部１３によって決定された入力文字を接続機器に対して入力する。
【００５９】
図８を参照して、上述のステップＳ１０７において文字決定部１３によって行われる「母音・上押し処理」について説明する。
【００６０】
ステップＳ４０１において、文字決定部１３が、濁音・半濁音・拗音・促音キー４の押下状態を考慮した上で、上述の第２のキー入力情報に基づいて、「う」、「え」、「お」のいずれかを入力文字とすることを決定する。かかる場合、文字決定部１３は、同時押し判定タイマ１２の状態を考慮することなく入力文字を決定することができる。
【００６１】
ステップＳ４０２において、入力部１４が、文字決定部１３によって決定された入力文字を接続機器に対して入力する。
【００６２】
図９を参照して、上述のステップＳ１０９において文字決定部１３によって行われる「母音・下押し処理」について説明する。
【００６３】
ステップＳ５０１において、同時押し判定タイマ１２が作動する。ステップＳ５０２において、文字決定部１３が、同時押し判定タイマ１２が作動中に（すなわち、所定期間内に）、キー入力検知部１１によってキー入力情報が検知されたか否かについて判定する。
【００６４】
判定結果が「ＹＥＳ」である場合、ステップ５０４において、ステップＳ５０２において検知されたキー入力情報が、子音キー２の上押し操作によって入力された第１のキー入力情報であるか否かについて判定する。判定結果が「ＹＥＳ」である場合、ステップＳ５０５において、文字決定部１３が、濁音・半濁音・拗音・促音キー４の押下状態を考慮した上で、上述の第１のキー入力情報と第２のキー入力情報との組み合わせに基づいて、「う」、「え」、「お」段の文字を入力文字とすることを決定する。
【００６５】
一方、所定期間内に、更なるキー入力情報が検知されなかった場合（ステップＳ５０３における「ＹＥＳ」の場合）、ステップＳ５０５において、文字決定部１３が、濁音・半濁音・拗音・促音キー４の押下状態を考慮した上で、上述の第２のキー入力情報に基づいて、「う」、「え」、「お」のいずれかを入力文字とすることを決定する。
【００６６】
ステップＳ５０６において、入力部１４が、文字決定部１３によって決定された入力文字を接続機器に対して入力する。ステップＳ５０７において、エラー処理部１５が、操作者によるキー入力操作が誤っている旨を通知するためのエラー処理を行う。
【００６７】
（本実施形態に係る文字入力装置の作用・効果）
本実施形態に係る文字入力装置１によれば、子音キー（第１のキー）２を下方向（第１の方向）に押下するとともに、母音キー（第２のキー）３を上方向（第１の方向の反対方向）に押下することによって、文字を入力することができるため、人差し指と親指等によって複数のキーを同時に押下することができ、１つの文字を片手の１回の操作で入力することができる。
【００６８】
本実施形態に係る文字入力装置１によれば、子音キー２及び母音キー３を上下両方向から押下することができる構造とすることで、通常の接続機器における文字入力装置と比較すると、同等又はそれ以下のキー面積で、入力可能な文字数を飛躍的に増加させることができる。
【００６９】
また、本実施形態に係る文字入力装置１によれば、かな文字入力モードの状態において押下すべきキーを、子音と母音とに分けて配列しているため、操作者にとって、キーの配置が分かり易く、キー入力操作の習熟が容易となる。
【００７０】
また、本実施形態に係る文字入力装置１によれば、人差し指と親指を用いた１回の操作で１つの文字を入力することができるため、そろばん経験者であれば、馴染みの深い動作で高速な入力操作を行うことができる。
【００７１】
また、本実施形態に係る文字入力装置１によれば、ペンを持ったままでも操作し易いため、メモを取るためにペンを持ってキー入力操作を行う場合や、タッチパネルのスタイラスによる手書き機能を具備する携帯電話等の接続機器へのキー入力操作を行う場合に適している。
【００７２】
なお、子音キー２及び母音キー３に対する文字の割り当て方法は、上述の実施形態以外の方法であってもよい。
【００７３】
例えば、上述の実施形態では、第２のキー入力情報が「う」、「え」、「お」のいずれかに対応する母音を示すように構成されている、すなわち、母音キー３の上側に「あ」、「い」、「記号」が割り当てられており、母音キー３の下側に「う」、「え」、「お」が割り当てられているが、使用頻度等を考慮して、かかる割り当て方法を変更してもよい。かかる場合、母音キー３への文字の割り当て方法の変化に対応して、子音キー２への文字の割り当て方法も変更する必要がある。
【００７４】
また、キー入力情報を入力するために押下できる子音キー２及び母音キー３の方向は、上下方向に限られず、用途に応じて、左右方向や斜め方向として構成されていてもよい。
【００７５】
また、所定期間内の子音キー２同士の押下によるキー入力情報の組み合わせや、存在しない濁音・半濁音・拗音・促音を指定するキー入力情報の組み合わせに対して、使用頻度が高い記号（句読点「、」「。」や長音や鍵括弧等）を割り当てるように構成されていてもよい。
【００７６】
また、上述の実施形態では、日本語のかな文字を入力するように構成されている文字入力装置１について説明したが、本発明は、かかる文字入力装置１に限定されるものではなく、少なくとも２つのキー入力情報によって１つの文字を決定するような言語（例えば、韓国語等）の文字を入力することができる文字入力装置１に適用することができる。
【図面の簡単な説明】
【００７７】
【図１】本発明の一実施形態に係る文字入力装置の外観図である。
【図２】本発明の一実施形態に係る文字入力装置の母音キー又は子音キーを押下する様子を示す図である。
【図３】本発明の一実施形態に係る文字入力装置の機能ブロック図である。
【図４】本発明の一実施形態に係る文字入力装置のキー配列の一例を示す図である。
【図５】本発明の一実施形態に係る文字入力装置の文字入力動作を示すフローチャートである。
【図６】本発明の一実施形態に係る文字入力装置の文字入力動作における「子音・上押し処理」を示すフローチャートである。
【図７】本発明の一実施形態に係る文字入力装置の文字入力動作における「子音・下押し処理」を示すフローチャートである。
【図８】本発明の一実施形態に係る文字入力装置の文字入力動作における「母音・上押し処理」を示すフローチャートである。
【図９】本発明の一実施形態に係る文字入力装置の文字入力動作における「母音・下押し処理」を示すフローチャートである。
【符号の説明】
【００７８】
１…文字入力装置
２…子音キー
３…母音キー
４…濁音・半濁音・拗音・促音キー
５…入力モード切替キー
６…上側スイッチ
７…下側スイッチ
１１…キー入力検出部
１２…同時押し判定タイマ
１３…文字決定部
１４…入力部
１５…エラー処理部
【図１】
2006279103.tif 000003
【図２】
2006279103.tif 000004
【図３】
2006279103.tif 000005
【図４】
2006279103.tif 000006
【図５】
2006279103.tif 000007
【図６】
2006279103.tif 000008
【図７】
2006279103.tif 000009
【図８】
2006279103.tif 000010
【図９】
2006279103.tif 000011